(57)【特許請求の範囲】
【請求項１】
光軸に直交する面上を移動し絞り開口を可変させる絞り羽根と、該絞り羽根を駆動する絞り羽根駆動機構と、光軸と直交する面上を移動し透過光量を可変させるＮＤフィルタと、該ＮＤフィルタを駆動するＮＤフィルタ駆動装置とを備えた撮影レンズの絞り装置において、
ＮＤフィルタと絞り羽根との間に、光軸に直交する方向に対して固定的な仕切板を設け、該仕切板の中央部分を絞り羽根側へ向け湾曲させることによって絞り羽根同士を弾接させ、絞り羽根と絞り羽根の間に隙間が生じないようにした
ことを特徴とする撮影レンズの絞り装置。
【請求項２】
請求項１に記載した撮影レンズの絞り装置であって、
絞り羽根及びＮＤフィルタは、光軸方向に光通過孔が形成された筐体内に配設されており、上記仕切板を筐体に一体に形成した
ことを特徴とする撮影レンズの絞り装置。
【請求項３】
請求項１に記載した撮影レンズの絞り装置であって、
仕切板の絞り羽根又はＮＤフィルタに接触する側の面に、凸部が形成されている
ことを特徴とする撮影レンズの絞り装置。
【請求項４】
請求項２に記載した撮影レンズの絞り装置であって、
仕切板の絞り羽根又はＮＤフィルタに接触する側の面に、凸部が形成されている
ことを特徴とする撮影レンズの絞り装置。
【請求項５】
請求項１に記載した撮影レンズの絞り装置であって、
仕切板に絞り開口の最大開口径を決定する開口部を形成した
ことを特徴とする撮影レンズの絞り装置。
【請求項６】
請求項２に記載した撮影レンズの絞り装置であって、
仕切板に絞り開口の最大開口径を決定する開口部を形成した
ことを特徴とする撮影レンズの絞り装置。
【請求項７】
請求項３に記載した撮影レンズの絞り装置であって、
仕切板に絞り開口の最大開口径を決定する開口部を形成した
ことを特徴とする撮影レンズの絞り装置。
【請求項８】
請求項４に記載した撮影レンズの絞り装置であって、
仕切板に絞り開口の最大開口径を決定する開口部を形成した
ことを特徴とする撮影レンズの絞り装置。
【発明の詳細な説明】
【０００１】
【発明の属する技術分野】
本発明は新規な撮影レンズの絞り装置に関する。詳しくは、複数の絞り羽根とＮＤフィルタとを有し、かつ、絞り羽根とＮＤフィルタとは各別の駆動手段により移動するようになっている絞り装置において、透過光量の制御を精度良く行なう技術に関する。
【０００２】
【従来の技術】
スチルカメラ、ビデオカメラ等の撮影レンズの絞り装置には、複数の絞り羽根を光軸回りに回動させて絞り径の調整を行う所謂「虹彩絞り」に替えて、一の直線上を互いに逆方向に移動する２枚の絞り羽根を用いて小型化と軽量化並びにコストの低減を図った撮影レンズの絞り装置が使用されるようになってきている。
【０００３】
ところが、被写体が明るいときに、絞り径が小さくなりすぎると、回折による画質の劣化と焦点深度の増大によるゴミの写り込みが問題となる。
【０００４】
そこで、回折による画質の劣化を抑制するため、２枚の絞り羽根と、ＮＤフィルタとを備え、絞り羽根を絞り羽根駆動機構により駆動して絞り開口を形成すると共に、ＮＤフィルタをＮＤフィルタ駆動機構により駆動して上記絞り開口に進入させるようにしたものがある。
【０００５】
図６は、従来の撮影レンズの絞り装置ａを示すものであり、
撮影レンズの絞り装置ａは、上下方向に互いに反対方向に移動自在に配設された２枚の絞り羽根ｂ、ｃと、これら絞り羽根ｂ、ｃを移動させるための絞り羽根駆動機構ｄと、ＮＤフィルタｅが取着されたＮＤフィルタ保持部材ｆと、該ＮＤフィルタ保持部材ｆを移動させるためのＮＤフィルタ駆動機構ｇ等から成る。尚、各図において矢印で示す、Ｕ方向、Ｄ方向、Ｌ方向、Ｒ方向、Ｆ方向、Ｂ方向は、それぞれ、上方、下方、左方、右方、前方、後方を意味するものとする。
【０００６】
絞り羽根ｂ、ｃ及びＮＤフィルタ保持部材ｆは、一方の絞り羽根ｃを挟んで他方の絞り羽根ｂとＮＤフィルタ保持部材ｆとが位置され、撮影レンズ系において、絞り羽根ｂが物体側、ＮＤフィルタ保持部材ｆが像側になるように配置される。尚、かかる配置は、絞り羽根ｂが像側で、ＮＤフィルタ保持部材ｆが物体側である場合もある。
【０００７】
これら絞り羽根ｂ、ｃ及びＮＤフィルタ保持部材ｆは、前後方向に扁平で、上下方向に長い矩形をした箱状の筐体ｈ内に上下方向に摺動自在に配置され、また、筐体ｈの前側板及び後側板には、円形の光通過孔ｉ、ｉが形成されている。
【０００８】
絞り羽根ｂは後方から見てほぼＪ字形をしており、その下部の上縁にほぼ半円形の大きな開口径形成用切欠ｊが形成され、該開口径形成用切欠ｊの下端部はほぼ三角形に形成されている。
【０００９】
絞り羽根ｂとＮＤフィルタ保持部材ｆとにより光軸方向において挟まれた絞り羽根ｃの下側縁にはほぼ半円形の開口径形成用切欠ｋが形成され、該開口径形成用切欠ｋの上端部はほぼ三角形に切り欠かれている。
【００１０】
このような絞り羽根ｂ、ｃのそれぞれの側縁寄りの位置には上下方向に延びる被案内スリットｌ、ｌ・・・が形成されいる。
【００１１】
絞り羽根ｂの右側上端部には左右方向に延びる連結長孔ｍが形成され、また、絞り羽根ｃの左側上端部には左右方向に延びる連結長孔ｎが形成されている。
【００１２】
各絞り羽根ｂ、ｃは、その被案内スリットｌ、ｌ・・・が筐体ｈに形成された支持ピンｏ、ｏ、・・・に各別に摺動自在に係合されることにより、筐体ｈに上下方向に移動自在に支持される。
【００１３】
絞り羽根駆動機構ｄは、筐体ｈの上部に配設されたモータｐ及び該モータｐにより駆動される回動アームｑ等から成り、モータｐの回転軸に回動アームｑの中央部が固定され、該回動アームｑの左右両端部に小さな連結ピンｒ、ｒがそれぞれ前方に向けて突設されており、右端に位置した連結ピンｒが絞り羽根ｂの連結長孔ｍに、左端に位置した連結ピンｒが絞り羽根ｃの連結長孔ｎに、それぞれ摺動自在に係合される。
【００１４】
従って、回動アームｑが回動すると、その連結ピンｒとｒとは互いに上下反対の方向に変位するので、これにより、絞り羽根ｂと絞り羽根ｃとが互いに上下反対の方向に移動される。
【００１５】
そして、それぞれの開口径形成用切欠ｊとｋとが重なってできる開口が絞り開口ｓとなり、後述するようにこの絞り開口ｓの大きさが、上記絞り羽根駆動機構ｄにより変化するようになっている。
【００１６】
ＮＤフィルタ保持部材ｆは前方から見て上方に開口するほぼＵ字形をしており、中央部の切欠ｔの左右幅は上記絞り羽根ｂ、ｃの各開口径形成用切欠ｊ、ｋの左右幅とほぼ同じか又はやや大きく形成されており、該切欠ｔには、これを覆うようにＮＤフィルタｅが配設されている。また、ＮＤフィルタ保持部材ｆの左右側縁寄りの位置には被案内スリットｕ、ｕがそれぞれ形成され、さらに、左側下端部には左右方向に延びる連結長孔ｖが形成されている。
【００１７】
そして、ＮＤフィルタ保持部材ｆは、上記被案内スリットｕ、ｕに筐体ｈの支持ピンｏ、ｏ・・・がそれぞれ摺動自在に係合することにより筐体ｈに上下方向に移動自在に支持される。
【００１８】
ＮＤフィルタ駆動機構ｇは、筐体ｈの下部に配設されたモータｗ及び該モータｗにより駆動される回動アームｘ等から成り、モータｗの回転軸に回動アームｘｎ一端部が固定され、該回動アームｘの回動端に小さな連結ピンｙが前方に向かって突設されており、該連結ピンｙがＮＤフィルタ保持部材ｆの連結長孔ｖに摺動自在に係合されており、これにより、回動アームｘが回動すると、ＮＤフィルタ保持部材ｆが上下方向に移動される。
【００１９】
ＮＤフィルタｅは異なった透過率の３つのフィルタ部ｚ、ｚ、ｚが上下方向に並んで成り、上部に位置するフィルタ部ｚの透過率が最も高く、下部に位置するものの方が透過率が低くなるようになっている。
【００２０】
しかして、絞り羽根駆動機構ｄ及びＮＤフィルタ駆動機構ｇを各別に駆動することにより、絞り開口ｓの大きさを変化させ、また、ＮＤフィルタｅの絞り開口ｓに対する位置関係を規定することにより、絞り開口ｓを透過する光量の制御を行なうようになっている。
【００２１】
【発明が解決しようとする課題】
ところが、上記したように、従来の撮影レンズの絞り装置ａにあっては、ＮＤフィルタ保持部材ｆと絞り羽根ｂ、ｃとのいずれか一方を移動させると、他方が移動してしまい、絞り開口ｓを透過する光量が変化してしまうという問題があった。
【００２２】
即ち、２つの絞り羽根ｂ、ｃにより任意の絞り開口径ｓが保持されているときに、ＮＤフィルタ保持部材ｆを駆動すると、ＮＤフィルタ保持部材ｆとこれに隣接する一方の絞り羽根ｃとが接触しているため、その摩擦力により、一方の絞り羽根ｃが移動してしまい、上記任意の絞り開口径ｓが変化して透過光量が変化してしまう。
【００２３】
また、ＮＤフィルタｅが絞り開口ｓに対して任意の位置に保持しているときに、絞り羽根ｂ、ｃを駆動すると、同様に摩擦によりＮＤフィルタ保持部材ｆが移動してしまい、透過光量が変化してしまうことになる。
【００２４】
更に、このような絞り装置ａをスチルカメラに適用して、絞り羽根ｂ、ｃをシャッターとして作動させる場合には、ＮＤフィルタ保持部材ｆが移動しているか否か、作動方向が上方又は下方のいずれなのかにより閉じ時間がばらついたり、露光量がばらついたりするという問題があった。
【００２５】
そこで、本発明は、ＮＤフィルタ保持部材と絞り羽根との干渉をなくし、両者が各別に移動でき、これにより、一方の移動に伴い他方が移動してしまうことを防止して、透過光量の制御を精度良く行なうと共に、スチルカメラにおいてシャッター作動させた場合には、シャッターの閉じ時間、露光量等を一定にすることを課題とする。
【００２６】
【課題を解決するための手段】
そこで、本発明撮影レンズの絞り装置は、上記した課題を解決するために、光軸に直交する面上を移動し絞り開口を可変させる絞り羽根と、該絞り羽根を駆動する絞り羽根駆動機構と、光軸と直交する面上を移動し透過光量を可変させるＮＤフィルタと、該ＮＤフィルタを駆動するＮＤフィルタ駆動装置とを備えた撮影レンズの絞り装置において、ＮＤフィルタと絞り羽根との間に、光軸に直交する方向に対して固定的な仕切板を設け、該仕切板の中央部分を絞り羽根側へ向け湾曲させることによって絞り羽根同士を弾接させ、絞り羽根と絞り羽根の間に隙間が生じないようにしたものである。
【００２７】
従って、本発明撮影レンズの絞り装置にあっては、絞り羽根とＮＤフィルタとの間に仕切板を介在したので、絞り羽根とＮＤフィルタとが接触しておらず、絞り羽根又はＮＤフィルタのうち何れか一方を駆動したときに、他方が停止されている場合、その一方の移動に伴って他方が動かされてしまうことはなく、透過光量の制御を精度良く行なうと共に、スチルカメラにおいて当該絞り装置をシャッター作動させた場合に、シャッターの閉じ時間、露光量等を一定にすることができる。また、仕切板の中央部分を絞り羽根側へ向け湾曲させることによって絞り羽根同士を弾接させ、絞り羽根と絞り羽根の間に隙間が生じないようにしたので、閉塞絞りの状態において像側への露光又は漏光を防止することができる。
【００２８】
【発明の実施の形態】
以下に、本発明撮影レンズの絞り装置の詳細を添付図面に従って各比較例とともに説明する。
【００２９】
図１は本発明撮影レンズの絞り装置１の第１の比較例を示すものである。
【００３０】
撮影レンズの絞り装置１は、薄型の筐体２と該筐体２内に上下方向に互いに反対方向に移動自在に配設された２枚の絞り羽根３、４と、これら絞り羽根３、４を移動させるための絞り羽根駆動機構５と、後述するＮＤフィルタが取着されたＮＤフィルタ保持部材６と、該ＮＤフィルタ保持部材６を移動させるためのＮＤフィルタ駆動機構７と、一方の絞り羽根４とＮＤフィルタ保持部材６との間に介在される仕切板８等から成る。尚、各図において矢印で示す、Ｕ方向、Ｄ方向、Ｌ方向、Ｒ方向、Ｆ方向、Ｂ方向は、それぞれ、上方、下方、左方、右方、前方、後方を意味するものとする。
【００３１】
絞り羽根３、４及びＮＤフィルタ保持部材６は比較的腰の強い樹脂フィルムによって形成されており、一方の絞り羽根４とＮＤフィルタ保持部材６との間には、仕切板８が介在されており、これにより、一方の絞り羽根４とＮＤフィルタ保持部材６とが接触しないようになっている。
【００３２】
絞り装置１の筐体２は前面が開口した扁平な皿状をした矩形の主部９と該主部９の前面を閉塞する蓋板１０とから成る。
【００３３】
主部９の上下方向のほぼ中心に円形をした光通過孔１１が形成され、また、該光通過孔１１の周辺には左右及び上下において対称な位置に４つの支持ピン１２、１２、・・・が前方に向かって突設されている。
【００３４】
蓋板１０は上記主部９の前後方向から見た形状と同じ形状を有した平板状をしており、主部９にその前面を閉塞するように被着され、それにより、薄い箱形をした筐体２が形成される。
【００３５】
蓋板１０の上記主部９の光通過孔１１と対向した位置には光通過孔１３が形成され、該光通過孔１３と上記１１とはほぼ同じ大きさをしており、かつ、互いの位置が一致するように配置されている。また、図示は省略したが、撮影レンズ系における光軸Ｘ−Ｘがこれら光通過孔１１、１３の中心を通るように配置される。
【００３６】
絞り羽根３は後方から見てほぼＪ字形をしており、その下部の上縁にほぼ半円形の大きな開口径形成用切欠１４が形成され、該開口径形成用切欠１４の下端部１４ａはほぼ三角形に形成されている。
【００３７】
絞り羽根３の両側縁寄りの位置には上下方向に延びる被案内スリット１５、１５、１５がそれぞれ形成されており、また、絞り羽根３の右上側の被案内スリット１５の直ぐ上の位置に左右方向に延びる連結長孔１６が形成されている。
【００３８】
そして、絞り羽根３の被案内スリット１５、１５、１５に、筐体２の支持ピン１２、１２、１２が、それぞれ摺動自在に係合することにより、絞り羽根３は上下方向に移動自在に筐体２に支持される。
【００３９】
絞り羽根４の下側縁にはほぼ半円形の開口径形成用切欠１７が形成され、該開口径形成用切欠１７の上端部１７ａはほぼ三角形に切り欠かれている。
【００４０】
絞り羽根４の両側縁に寄った位置には上下方向に延びるように形成された被案内スリット１８、１８、１８が形成され、更に、左上側の被案内スリット１８の上側に左右に長い連結長孔１９が形成されている。
【００４１】
そして、絞り羽根４の被案内スリット１８、１８、１８に、筐体２の支持ピン１２、１２、１２が、それぞれ摺動自在に係合することにより、絞り羽根４は上下方向に移動自在に筐体２に支持される。
【００４２】
また、絞り羽根３と４とは上下方向にかつ反対の方向に移動するようになっており、それぞれの開口径形成用切欠１４と１７とが重なってできる開口が絞り開口２０となり、後述するようにこの絞り開口２０の大きさが、上記絞り羽根駆動機構５により変化するようになっている。
【００４３】
仕切板８は、その左右幅が筐体２の内側寸法とほぼ同じで、上下方向の寸法がＮＤフィルタ保持部材６とほぼ同じに形成されている。尚、仕切板８はＮＤフィルタ保持部材６及び絞り羽根４とが各別に駆動されたときに、両者が干渉し合わないようになっていれば良く、例えば、仕切板８の大きさが比較的小さくても厚みがある程度あるようにすれば良い。
【００４４】
また、仕切板８の中心には筐体２に形成された光通過孔１１、１３とほぼ同じ大きさの開口部２１が形成されており、また、該開口部２１の周辺であって、筐体２の支持ピン１２、１２、・・・に対応する位置にはこれら支持ピン１２、１２、・・・の直径とほぼ同じか又は僅かに大きな被支持孔２２、２２、・・・が形成されている。
【００４５】
そして、仕切板８の被支持孔２２、２２、・・・に、筐体２の支持ピン１２、１２、・・・が挿入されることにより、仕切板８は光軸Ｘ−Ｘに直交する方向に対して固定的な状態で筐体２に支持される。
【００４６】
ＮＤフィルタ保持部材６は前方から見て上方に開口するほぼＵ字形をしており、中央部の切欠２３の左右幅は上記絞り羽根３、４の各開口径形成用切欠１４、１７の左右幅とほぼ同じか又はやや大きく形成されており、該切欠２３には、これを覆うようにＮＤフィルタ２４が取着されている。また、ＮＤフィルタ保持部材６の両側縁寄りの位置には被案内スリット２５、２５がそれぞれ形成され、さらに、左側の被案内スリット２５の直ぐ下の位置に左右方向に延びる連結長孔２６が形成されている。
【００４７】
そして、ＮＤフィルタ保持部材６の被案内スリット２５、２５に、筐体２の支持ピン１２、１２、・・・が、それぞれ摺動自在に係合することにより、ＮＤフィルタ保持部材６は上下方向に移動自在に筐体２に支持される。
【００４８】
ＮＤフィルタ２４は異なった透過率の３つのフィルタ部２４ａ、２４ｂ、２４ｃが上下方向に並んで成り、最も上部に位置するフィルタ部２４ａの透過率が最も高く、下方に位置するものの方が透過率が低くなるようになっている。このようなＮＤフィルタ２４は、１枚の透明な板材に蒸着などの手段により透過率の異なったフィルタ部２４、２４、・・・が形成される。
【００４９】
尚、この比較例においては、ＮＤフィルタ２４をＮＤフィルタ保持部材６に取着したものについて説明したが、ＮＤフィルタ２４は、これに直接被案内スリット２５、２５及び連結長孔２６を形成するようにしても良い。
【００５０】
また、この比較例において、ＮＤフィルタ２４を透過率の異なる３つのフィルタ部２４ａ、２４ｂ、２４ｃで構成したものについて説明したが、１種類のフィルタ部を有するものであっても良い。
【００５１】
しかして、上記絞り羽根３、４、仕切板８及びＮＤフィルタ保持部材６は、筐体２内に、後方から絞り羽根３、絞り羽根４、仕切板８、ＮＤフィルタ保持部材６の順に配置され、絞り羽根３、４及びＮＤフィルタ保持部材６は筐体２に対して上下方向に移動自在に、また、仕切板８は筐体２の光軸Ｘ−Ｘに直交する方向に対して固定的に、それぞれ支持されている。
【００５２】
撮影レンズの絞り装置１の絞り羽根駆動機構５は、当該絞り装置１の上部に配設されたモータ２７及び該モータ２７により駆動される回動アーム２８等から成り、モータ２７の回転軸に回動アーム２８が取着されている。
【００５３】
回動アーム２８は、その中央部が上記モータ２７の回転軸に固定されており、該回動アーム２８の左右両端部に小さな連結ピン２９、２９がそれぞれ前方に向けて突設され、これら連結ピン２９、２９はモータ２７の回転軸からの距離が同じになるように配設されている。
【００５４】
そして、右端に位置した連結ピン２９が絞り羽根３の連結長孔１６に、左端に位置した連結ピン２９が絞り羽根４の連結長孔１９に、それぞれ摺動自在に係合される。
【００５５】
従って、回動アーム２８が回動すると、その連結ピン２９と２９とは互いに上下反対の方向に変位するので、これにより、絞り羽根３と絞り羽根４とが互いに上下反対の方向に移動される。しかも、互いに異なる方向に移動する絞り羽根３と絞り羽根４とは同じ変位量、即ち、同じ速度で移動する。
【００５６】
そして、絞り羽根３と絞り羽根４とが互いに上下反対の方向に移動することにより、それぞれの開口径形成用切欠１４と１７とが重なり合ってできる開口、すなわち、絞り開口２０の大きさが変化し、絞り羽根３がその移動範囲における上端に、絞り羽根４がその移動範囲における下端に位置したときに絞り開口２０が閉塞（全閉）された状態となり、また、絞り羽根３がその移動範囲における下端に、絞り羽根４がその移動範囲における上端に位置したときに絞り開口２０が最も大きな開放絞りとなる。尚、開放絞り状態における絞り開口２０は、開口径形成用切欠１４と１７との重なりによってできるのではなく、筐体２の光通過孔１１、１３又は仕切板８の開口部２１の大きさとほぼ同じ大きさになる。
【００５７】
また、筐体２の光通過孔１１、１３の大きさより、開口部２１の大きさを小さく形成しておけば、該開口部２１が絞り装置１の最大開口径となり、これにより、開放絞り状態における絞り開口２０を、絞り羽根３、４と近接した位置で形成することができると共に、筐体２の光通過孔１１、１３の寸法精度をラフにしておいても、該仕切板８の開口部２１の寸法を精度良く形成するだけで、当該絞り装置１の開放絞り時の最大開口径を精度良く決定することができる。
【００５８】
撮影レンズの絞り装置１のＮＤフィルタ駆動機構７は、当該絞り装置１の下部に配設されたモータ３０及び該モータ３０により駆動される回動アーム３１等から成り、モータ３０の回転軸に回動アーム３１が取着されている。
【００５９】
回動アーム３１は、その一端部が上記モータ３０の回転軸に固定されており、該回動アーム３１の回動端部に小さな連結ピン３２が前方に向けて突設されている。
【００６０】
そして、連結ピン３２がＮＤフィルタ保持部材６の連結長孔２６に、摺動自在に係合されており、これにより、回動アーム３１が回動すると、ＮＤフィルタ保持部材６が上下方向に移動される。
【００６１】
絞り羽根３、４又はＮＤフィルタ保持部材６のうち何れか一方が駆動され、他方が停止されているとき、絞り羽根４とＮＤフィルタ保持部材６との間に仕切板８が介在されているため、絞り羽根４とＮＤフィルタ保持部材６とが接触しておらず、一方の移動に伴って他方が動かされてしまうことはない。
【００６２】
図２は本発明撮影レンズの絞り装置の第２の比較例を示すものである。
【００６３】
この第２の比較例が前記第１の比較例と比較して相違する点は、仕切板を筐体に一体に形成した点と仕切板に凸部（凸条）を形成した点であるので、図面には要部のみを示し、また、その説明は上記相違点についてのみ行う。
【００６４】
第２の比較例にかかる筐体３３は、上記第１の比較例にかかる筐体２の主部９を前後に２つに分割した如き形状の後主部３４と、前主部３５と、上記第１の比較例にかかる筐体２と同様の蓋体１０とから成る。
【００６５】
後主部３４はほぼ平板状を成し、そのほぼ中央部に光通過孔１１が形成され、該光通過孔１１の周辺には左右及び上下において対称な位置に４つの支持ピン１２、１２、・・・が前方に向かって突設されている。
【００６６】
前主部３５は、前後方向にやや厚みのある枠体３６と該枠体３６の前後方向のほぼ中央であってその空間のうち上部を閉塞する上板（以下、「上仕切板」という。）３７とその下部を閉塞する下板（以下、「下仕切板」という。）３８とが一体に形成されている。
【００６７】
そして、上仕切板３７と下仕切板３８との間には、開口部３９が形成され、該開口部３９はその上下方向の寸法が上記後主部３４の光通過孔１１及び蓋体１０の光通過孔１３よりやや大きく形成されている。
【００６８】
上仕切板３７の前面の左右両側縁寄りの位置には、蒲鉾状の上下方向に延びる凸条４０、４０が形成され、また、上仕切板３７の下縁よりやや上方で上記凸条４０、４０の外側、下仕切板３８の上縁よりやや下方には、４つの支持ピン４１、４１、・・・が前方に向かってそれぞれ突設されている。
【００６９】
そして、前方から蓋体１０、前主部３５、後主部３４の順で、組み合わされて筐体３３が形成され、図示は省略したが、後主部３４と前主部３５との間に絞り羽根３、４が位置され、前主部３５と蓋体１０との間にＮＤフィルタ保持部材６が位置される。
【００７０】
尚、ＮＤフィルタ保持部材６は、その被案内スリット２５、２５が前主部３５の上仕切板３７及び下仕切板３８にそれぞれ形成された支持ピン４１、４１、・・・に摺動自在に係合して上下方向に移動自在に支持される。
【００７１】
この第２の比較例にかかる絞り装置によれば、絞り羽根３、４とＮＤフィルタ保持部材６とが移動自在に支持された空間が仕切板３７、３８により隔離されているため、絞り羽根３、４又はＮＤフィルタ保持部材６のうち何れか一方が駆動され、他方が停止されているとき、一方の移動に伴って他方が動かされてしまうことはない。
【００７２】
しかも、ＮＤフィルタ保持部材６は上仕切板３７と接触するときに、凸条４０、４０に接触するため接触面積が小さく、よって、上下方向への移動に際し、摺動抵抗が小さくスムーズな移動を実現することができる。
【００７３】
尚、この比較例にかかる仕切板３７に凸条４０、４０を形成したが、凸部を複数個形成するようにしても良い。要は、ＮＤフィルタ保持部材と仕切板との接触状態が、接触面積を小さくして、接触抵抗が低減されるようになっていれば良い。
【００７４】
また、このような凸部又は凸条を仕切板の他、筐体２又は３３の内面に形成しても良く。このようにすれば、絞り羽根３、４の摺動抵抗を小さくすることができる。
【００７５】
図３及び図４は本発明撮影レンズの絞り装置の実施の形態を示すものである。
【００７６】
この実施の形態が前記第１の比較例と比較して相違する点は、仕切板を湾曲状にした点と仕切板に凸部（凸条）を形成した点であるので、図面には要部のみを示し、また、その説明は上記相違点についてのみ行う。
【００７７】
実施の形態にかかる仕切板４２は、上記第１の比較例にかかる仕切板８を湾曲した如き形状をしており、そのほぼ中心には筐体２に形成された光通過孔１１、１３とほぼ同じ大きさの開口部４３が形成されており、また、該開口部４３の周辺であって、筐体２の支持ピン１２、１２、・・・に対応する位置にはこれら支持ピン１２、１２、・・・の直径とほぼ同じか又は僅かに大きな被支持孔２２、２２、・・・が形成され、更に、その前面であって上記開口部４３の上方及び下方には上下方向に延びる凸条４４、４４、・・・が形成されている。
【００７８】
このような仕切板４２はその被支持孔２２、２２、・・・に、筐体２の支持ピン１２、１２、・・・を挿入することにより、光軸Ｘ−Ｘに直交する方向に対して固定的な状態で筐体２に支持される。
【００７９】
そして、主部９に蓋体１０が組み立てられてときに、仕切板４２は絞り羽根４とＮＤフィルタ保持部材６との間に位置され、仕切板４２が湾曲されていることため、絞り羽根３、４を後方に、また、ＮＤフィルタ保持部材６を前方に付勢することになり、これにより、２つの絞り羽根３、４はほぼ隙間がなく（Ｌ＝０）接触するようになっている（図４参照）。
【００８０】
これにより、絞り羽根３と４との間に隙間Ｌがある場合（図５参照）と比較して、絞り開口２０の閉塞（全閉）時における遮蔽性を向上することができる。
【００８１】
即ち、絞り羽根３、４が閉塞状態において、絞り羽根３と４との間に隙間Ｌがある場合、前方から入射した光束は、これが絞り羽根３、４に対して直角でない場合には、前側の絞り羽根４の開口径形成用切欠１７を通して後側の絞り羽根３の前面に入射する。かかる光束は絞り羽根３で反射して、上記隙間Ｌを通して前側の絞り羽根４の後面に入射した後、反射して絞り羽根３の開口径形成用切欠１４を通して、後方、即ち、図示しない像面側に入ってしまう。
【００８２】
これに対して、上記実施の形態にかかる仕切板４２を用いることにより、絞り羽根３と４との間には隙間Ｌができず、よって、絞り羽根３、４の閉塞状態において、像面側に光束が漏れることはない。
【００８３】
尚、上記実施の形態において、本発明撮影レンズの絞り装置をビデオカメラの絞り装置として適用したものについて説明したが本発明はこれに限らず、スチルカメラの絞り装置としても適用することができる。
【００８４】
また、上記実施の形態において示した各部の具体的な形状乃至構造は、本発明を実施するに当たっての具体化のほんの一例を示したものに過ぎず、これらによって本発明の技術的範囲が限定的に解釈されることがあってはならないものである。
【００８５】
【発明の効果】
以上に記載したところから明らかなように、本発明は、光軸に直交する面上を移動し絞り開口を可変させる絞り羽根と、該絞り羽根を駆動する絞り羽根駆動機構と、光軸と直交する面上を移動し透過光量を可変させるＮＤフィルタと、該ＮＤフィルタを駆動するＮＤフィルタ駆動装置とを備えた撮影レンズの絞り装置において、ＮＤフィルタと絞り羽根との間に、光軸に直交する方向に対して固定的な仕切板を設け、該仕切板の中央部分を絞り羽根側へ向け湾曲させることによって絞り羽根同士を弾接させ、絞り羽根と絞り羽根の間に隙間が生じないようにしたものである。
【００８６】
従って、本発明撮影レンズの絞り装置にあっては、絞り羽根とＮＤフィルタとの間に仕切板を介在したので、絞り羽根とＮＤフィルタとが接触しておらず、絞り羽根又はＮＤフィルタのうち何れか一方を駆動したときに、他方が停止されている場合、その一方の移動に伴って他方が動かされてしまうことはなく、透過光量の制御を精度良く行なうと共に、スチルカメラにおいて当該絞り装置をシャッター作動させた場合に、シャッターの閉じ時間、露光量等を一定にすることができる。また、仕切板の中央部分を絞り羽根側へ向け湾曲させることによって絞り羽根同士を弾接させ、絞り羽根と絞り羽根の間に隙間が生じないようにしたので、閉塞絞りの状態において像側への露光又は漏光を防止することができる。
【００８７】
請求項２に記載した本発明にあっては、絞り羽根及びＮＤフィルタを、光軸方向に光通過孔が形成された筐体内に配設し、該筐体に仕切板を一体に形成したので、仕切板が筐体と別部材でないため、製造コストの低減に寄与することができる。
【００８９】
請求項３と請求項４に記載した本発明にあっては、仕切板の絞り羽根又はＮＤフィルタに接触する面に、凸部を形成したので、絞り羽根又はＮＤフィルタの仕切板に対する接触面積を小さくすることができ、これにより、絞り羽根及びＮＤフィルタの移動をスムーズに行なうことができる。
【００９０】
請求項５乃至請求項８に記載した本発明にあっては、仕切板に絞り開口の最大開口径を決定する開口部を形成したので、開放絞り状態における絞り開口を、絞り羽根と近接した位置で形成することができると共に、仕切板の開口部の寸法を精度良く形成するだけで、当該絞り装置の開放絞り時の最大開口径を精度良く決定することができ、筐体に形成する光通過孔の寸法精度をラフにすることができる。
【図面の簡単な説明】
【図１】  本発明に係る撮影レンズの絞り装置の第１の比較例を示すもので、全体を分解して示す斜視図である。
【図２】  本発明に係る撮影レンズの絞り装置の第２の比較例を示すもので、筐体を分解して示す斜視図である。
【図３】  図４と共に本発明に係る撮影レンズの絞り装置の実施の形態を示すもので、本図は仕切板を示す斜視図である。
【図４】  要部を拡大して示す断面図である。
【図５】  実施の形態で解決した問題点を説明するための比較例を拡大して示す断面図である。
【図６】  従来の撮影レンズの絞り装置を示す全体を分解して示す斜視図である。
【符号の説明】
１…撮影レンズの絞り装置、２…筐体、３…絞り羽根、４…絞り羽根、５…絞り羽根駆動機構、７…ＮＤフィルタ駆動機構、１０…蓋体、２０…絞り開口、２１…開口部、２４…ＮＤフィルタ、３３…筐体、４２…仕切板、４３…開口部、４４…凸条（凸部）、Ｘ−Ｘ…光軸
【図１】
0004174695.tif 000002
【図２】
0004174695.tif 000003
【図３】
0004174695.tif 000004
【図４】
0004174695.tif 000005
【図５】
0004174695.tif 000006
【図６】
0004174695.tif 000007